(57)【要約】【課題】ロール表面の異物を自動的に外部に排出し、刃先を研磨・再生してブレードを長寿命にすると共に、ロール表面の損傷を抑制する。【解決手段】ベルト状のドクターブレード２は駆動プーリー３ａと従動プーリー３ｃによりその周りをエンドレスに移動搬送する。ブレード２の下側のベルト２Ｂの幅方向の一端に設けた刃２ａをロール表面８ａに摺接させて異物を掻き取り、刃２ａに付着の異物は矢印Ｆ方向に搬送され、回転ブラシ７ａにより刃２ａから除去され、吸引排気ダクト７ｃを介して外部に排出される。ブレード２の上側のベルト２Ａの内側に回転する研磨体６ａを摺接させて磨耗したブレード２の刃２ａを研磨・再生し、研磨滓は吸引排気ダクト６ｃを介して外部に排出する。ブレード２の刃先は基準限界値迄は連続使用可能となる。【選択図】　　　　図１
2004027441.tif 000002
【特許請求の範囲】
【請求項１】
エンドレスのドクターブレードによりロールの表面に付着した異物を掻き取るエンドレスドクターブレード装置であって、前記ドクターブレードはブレード駆動機構の駆動力によりその外周を回転移動搬送する移動式のエンドレスのブレードで、ブレード幅方向の一端の周縁にロールの表面に付着した異物を掻き取る刃を設けたことを特徴とするエンドレスドクターブレード装置。
【請求項２】
前記ドクターブレードは、ドクターブレードの刃先に付着した異物を除去し、除去した異物を外部に排出するブレード掃除機構を有することを特徴とする請求項１に記載のエンドレスドクターブレード装置。
【請求項３】
前記ドクターブレードは、ドクターブレードの刃先を研磨・再生し、刃先の研磨滓（かす）を外部に排出するブレード研磨・再生機構を有することを特徴とする請求項１に記載のエンドレスドクターブレード装置。
【請求項４】
前記ドクターブレードは、前記ブレード掃除機構及びブレード研磨・再生機構を有することを特徴とする請求項１乃至３の何れか１つに記載のエンドレスドクターブレード装置。
【請求項５】
前記ブレード掃除機構は、ドクターブレードの幅方向の端部の外周面に対接してドクターブレードの刃に付着の異物を掻き取る円盤状又は円筒状の掃除用ブラシと、前記掃除用ブラシを回転させる掃除用モーターと、前記掻き取った異物を外部に排出するための吸排気ダクトと、刃先の上部を吸引する空気の流速が大きくなる構造となるように掃除用ブラシを狭い間隔で覆うフードとからなる請求項２又は４に記載のエンドレスドクターブレード装置。
【請求項６】
前記ブレード研磨・再生機構は、ドクターブレード幅方向の端部の内周面に対接してドクターブレードの刃先を研磨・再生する円盤状又は円筒状の研磨体と、前記研磨体を回転させる研磨用モーターと、研磨滓を外部に排出する吸排気ダクトと、吸引する空気の流速が大きくなる構造となるように前記研磨体を狭い間隔で覆うフードからなる請求項３又は４に記載のエンドレスドクターブレード装置。
【請求項７】
前記ブレード駆動機構は、駆動プーリー、駆動プーリーを回転させる駆動モーター及び従動プーリーからなることを特徴とする請求項１に記載のエンドレスドクターブレード装置。
【請求項８】
前記ブレード駆動機構３は、前記エンドレスのドクターブレードに凹凸駆動突起を、駆動プーリー及び従動プーリーに凹凸駆動突起を夫々設け、エンドレスのドクターブレードの前記凹凸駆動突起と凹凸駆動プーリー及び凹凸従動プーリーに取り付けた凹凸駆動突起とが係合してエンドレスのドクターブレードを確実に移動搬送することを特徴とする請求項７に記載のエンドレスドクターブレード装置。
【請求項９】
前記ブレード駆動機構は、前記エンドレスのドクターブレードに駆動孔２ｃを、駆動プーリー及び従動プーリーに凹凸駆動突起を夫々設け、エンドレスのドクターブレードの前記駆動孔と前記凹凸駆動プーリー及び凹凸従動プーリーの凹凸駆動突起とが係合してエンドレスのドクターブレードを確実に移動搬送することを特徴とする請求項７に記載のエンドレスドクターブレード装置。
【請求項１０】
前記ブレード駆動機構は、駆動プーリーと、駆動プーリーを回転させる駆動モーターと、従動プーリーと、前記駆動プーリーに案内搬送するか又は駆動プーリーから案内搬送されるブレードを案内搬送する駆動プーリーガイドロール及び駆動プーリーガイドロールと、従動プーリーに対接してブレードを案内搬送する従動プーリーガイドロールとからなり、ロールの表面近傍では上側ブレードと下側ブレードの間隔が狭いことを特徴とする請求項１に記載のエンドレスドクターブレード装置。
【請求項１１】
前記ブレード駆動機構は、前記エンドレスのドクターブレードに凹凸駆動突起を、駆動プーリー、駆動プーリーガイドロール及び駆動プーリーガイドロール、従動プーリー及び従動プーリーガイドロールに夫々凹凸駆動突起を設け、エンドレスのドクターブレードの前記凹凸駆動突起と凹凸駆動プーリー、駆動プーリーガイドロール及び駆動プーリーガイドロール、凹凸従動プーリー及び従動プーリーガイドロールの夫々の凹凸駆動突起とが係合してエンドレスのドクターブレードを確実に移動搬送することを特徴とする請求項１０に記載のエンドレスドクターブレード装置。
【請求項１２】
前記ブレード駆動機構は、前記エンドレスのドクターブレードには駆動孔を、駆動プーリー、駆動プーリーガイドロール、駆動プーリーガイドロール、従動プーリー及び従動プーリーガイドロールに凹凸駆動突起を夫々設け、エンドレスのドクターブレードの前記駆動孔と前記凹凸駆動プーリー、駆動プーリーガイドロール及び駆動プーリーガイドロール、凹凸従動プーリー３Ｈ及び従動プーリーガイドロールの凹凸駆動突起とが係合してエンドレスのドクターブレードを確実に移動搬送することを特徴とする請求項１０に記載のエンドレスドクターブレード装置。
【請求項１３】
前記エンドレスのドクターブレードは、これを保持するためのブレード保持機構と、これの刃先がロールの表面に所定角度で対接する位置状態とこれの刃先がロールから離脱する位置状態とに夫々位置決めするドクター着脱軸と、を具備することを特徴とする請求項１に記載のエンドレスドクターブレード装置。
【請求項１４】
前記ブレード保持機構は、スライドローラーと、サポートバックと、ドクターバックと、ドクターホルダーと、ドクターホルダー押さえとからなることを特徴とする請求項１３に記載のエンドレスドクターブレード装置。
【発明の詳細な説明】
【０００１】
【発明の属する技術分野】
本発明は、抄紙機、印刷機等のロールの表面に付着した異物を掻き取るためのドクターブレード装置の刃の部分に着した異物を除去・排出する機能と前記刃を研磨・再生する機能を有するエンドレスドクターブレード装置に関する。
【０００２】
【従来の技術】
抄紙機、印刷機等で使用するロール用のドクター装置は、図８に図示するドクターブレードと、このドクターブレードの刃先を所定の圧接力でロール外周面に押し付け、動作時には、回転しているロール幅方向外周面に対してドクターブレードの刃先を往復摺動しながら押しつけ、ロール外周面に付着している異物をドクターブレードによって掻き落としている、そして、ロールの表面から掻き落とされたドクター滓等の異物は、ドクターブレードの刃先部分を覆う吸引カバー内に空気流を形成して、掻き落とした異物をドクターブレードの刃先部から吸引して外部に排出するようにしている。
【０００３】
しかし、掻き落とし動作中において、ドクターブレードの刃先が摩耗するとドクターブレードの刃先とロール外周面の間に異物が詰まり、図８に示すように異物が核となってより多くの異物が詰まった状態に陥ってしまう。この結果、ドクターブレードのロール外周面に対する圧接力が低下し、ひいていはドクターブレードの刃先がロール外周面から離れて、ロール外周面の異物の掻き取り不良が発生し異物が製造物に付着する。
【０００４】
このような事態に陥った場合には、ロールの回転を止めて作業員が詰まった刃先部分のドクター滓の異物を除去するために、定期的に掃除機によりドクターブレードの刃先に沿って吸引ノズルを移動させ刃先部の異物掃除、又はドクターブレードの取り替えを行っているため運転効率が低下し、また、異物除去掃除及び交換時には、刃先の部分的な欠落及び人体接触等作業性、安全性が悪いという問題がある。
上記のような事態を回避するため、摩耗が低下しにくい高硬度のドクターを使用して刃先に対して強圧接して異物を掻き取る。したがって、適切なドクタリングが行えないため、掻き取られたロールの表面に傷が入り、ますますロールの表面に異物が付着すると共に製造物に異物が付着してしまい、ロール寿命を短くしている。
【０００５】
上記の問題点を改善するために、一定の長さのドクターブレードの代わりに、図９のように、テープ状あるいは長尺状のドクターブレードを用いたドクター装置が提案され、ドクターブレードをドクターホルダー内で摺動させて使用済のドクターブレードをドクターブレード巻き取り用リールに巻き取り、未使用のドクターブレードをドクターブレード供給側から連続的に供給するようにした移動式のドクターブレードを備えたドクター装置及びホルダー機構、送り方法（例えば、特開昭６３−６６３９５号公報、特開平９−４１２８７号公報、特開平１０−３２５０９４号公報、特開平１１−３５０３７９号公報。参照）が知られている。
【０００６】
このドクター装置においては、図９に図示するドクターブレード巻き出し用、及び巻取り用リールが設けられていて、使い終わるまではドクターブレードをその支持機構から取り外して新たなものに交換する作業が不要であり、作業効率、装置の稼働率は前記の物よりは向上しているが、印刷塗工滓等の硬くて粘い異物は、ドクターブレードの刃先が僅かに摩耗すると、前記ようにドクターブレードの刃先とロール外周面の間に詰まり、異物が核となってより多くの異物が詰まり、同じような状態に陥ってしまうため、新しいドクターブレードの巻き出しを早くする必要があり、短期間で使用してしまう。
【０００７】
【発明が解決しようとする課題】
本発明は、従来装置の問題点を解決するもので、本発明の目的は、ドクターブレードに付着した異物を除去・排出し、且つ、ドクターブレードの刃先を研磨・再生して、ドクターブレードの寿命を長くさせる（耐久性を向上させる）と共に、ロール表面の損傷を抑制することである。
【０００８】
【課題を解決するための手段】
本発明は、エンドレスのドクターブレードによりロールの表面に付着した異物を掻き取るエンドレスドクターブレード装置であって、前記ドクターブレードはブレード駆動機構の駆動力によりその外周を回転移動搬送する移動式のエンドレスのブレードで、ブレード幅方向の一端の周縁にロールの表面に付着した異物を掻き取る刃を設けたエンドレスドクターブレード装置である。
【０００９】
本発明は、前記ドクターブレードが、ドクターブレードの刃に付着した異物を除去し、除去した異物を外部に排出するブレード掃除機構を有するエンドレスドクターブレード装置である。
【００１０】
本発明は、前記ドクターブレードが、ドクターブレードの刃先を研磨・再生し、刃先の研磨滓（かす）を外部に排出するブレード研磨・再生機構を有するエンドレスドクターブレード装置である。
【００１１】
本発明は、前記ドクターブレードが、前記ブレード掃除機構及びブレード研磨・再生機構を有するエンドレスドクターブレード装置である。
【００１２】
本発明は、前記ブレード掃除機構が、ドクターブレードの幅方向の端部の外周面に対接してドクターブレードの刃に付着の異物を掻き取る円盤状又は円筒状の掃除用ブラシと、前記掃除用ブラシを回転させる掃除用モーターと、前記掻き取った異物を外部に排出するための吸排気ダクトと、刃先の上部を吸引する空気の流速が大きくなる構造となるように掃除用ブラシを狭い間隔で覆うフードとからなるエンドレスドクターブレード装置である。
【００１３】
本発明は、前記ブレード研磨・再生機構が、ドクターブレード幅方向の端部の内周面に対接してドクターブレードの刃先を研磨・再生する円盤状又は円筒状の研磨体と、前記研磨体を回転させる研磨用モーターと、研磨滓を外部に排出する吸排気ダクトと、吸引する空気の流速が大きくなる構造となるように前記研磨体を狭い間隔で覆うフードからなるエンドレスドクターブレード装置である。
【００１４】
本発明は、前記ブレード駆動機構が、駆動プーリー、駆動プーリーを回転させる駆動モーター及び従動プーリーからなるエンドレスドクターブレード装置である。（図１）
【００１５】
本発明は、前記ブレード駆動機構が、前記エンドレスのドクターブレードに凹凸駆動突起を、駆動プーリー及び従動プーリーに凹凸駆動突起を夫々設け、エンドレスのドクターブレードの前記凹凸駆動突起と凹凸駆動プーリー及び凹凸従動プーリーの凹凸駆動突起とが係合してエンドレスのドクターブレードを確実に移動搬送するエンドレスドクターブレード装置である。
【００１６】
本発明は、前記ブレード駆動機構が、前記エンドレスドクターブレードに駆動孔を、駆動プーリー及び従動プーリーに凹凸駆動突起を夫々設け、エンドレスのドクターブレードの前記駆動孔と前記凹凸駆動プーリー及び凹凸従動プーリーの凹凸駆動突起とが係合してエンドレスのドクターブレード２を確実に移動搬送するエンドレスドクターブレード装置である。
【００１７】
本発明は、前記ブレード駆動機構が、駆動プーリーと、駆動プーリーを回転させる駆動モーターと、従動プーリーと、前記駆動プーリーに案内搬送するか又は駆動プーリーから案内搬送されるブレードを案内搬送する駆動プーリーガイドロール及び駆動プーリーガイドロールと、従動プーリーに対接してブレードを案内搬送する従動プーリーガイドロールとからなり、ロールの表面近傍では上側ブレードと下側ブレードの間隔が狭い構造のエンドレスドクターブレード装置である。
【００１８】
本発明は、前記ブレード駆動機構が、前記エンドレスのドクターブレードに凹凸駆動突起を、駆動プーリー、駆動プーリーガイドロール及び駆動プーリーガイドロール、従動プーリー及び従動プーリーガイドロールに夫々凹凸駆動突起を設け、エンドレスのドクターブレードの前記凹凸駆動突起と凹凸駆動プーリー、駆動プーリーガイドロール及び駆動プーリーガイドロール、凹凸従動プーリー及び従動プーリーガイドロールの夫々の凹凸駆動突起とが係合してエンドレスのドクターブレードを確実に移動搬送するエンドレスドクターブレード装置である。
【００１９】
本発明は、前記ブレード駆動機構が、前記エンドレスのドクターブレードには駆動孔を、駆動プーリー、駆動プーリーガイドロール、駆動プーリーガイドロール、従動プーリー及び従動プーリーガイドロールに凹凸駆動突起を夫々設け、エンドレスのドクターブレードの前記駆動孔と前記凹凸駆動プーリー、駆動プーリーガイドロール及び駆動プーリーガイドロール、凹凸従動プーリー及び従動プーリーガイドロールの凹凸駆動突起とが係合してエンドレスのドクターブレードを確実に移動搬送するエンドレスドクターブレード装置である。
【００２０】
本発明は、前記エンドレスのドクターブレードが、ドクターブレードを保持するためのブレード保持機構と、ドクターブレードの刃先がロールの表面に所定角度で対接する位置状態とこの刃先がロールから離脱する位置状態とに夫々位置決めするドクター着脱機構と、を具備するエンドレスドクターブレード装置である。
【００２１】
本発明は、前記ブレード保持機構が、スライドローラーと、サポートバックと、ドクターバックと、ドクターホルダーと、ドクターホルダー押さえとからなるエンドレスドクターブレード装置である。
【００２２】
【発明の実施の形態】
以下、本発明の実施の形態について、説明する。
本発明のエンドレスドクターブレード装置はドクターブレードに付着した異物を除去・排出し、且つ、ドクターブレードの刃先を研磨・再生して、ドクターブレードの寿命を長くし（耐久性を向上し）、ロール表面の損傷を抑制するものである。
【００２３】
本発明のエンドレスドクターブレード装置１は、図１乃至図４に示すように、エンドレスのドクターブレード２と、ドクターブレードを移動搬送するためのブレード駆動機構３と、ドクターブレードの刃２ａに付着した異物を除去し、除去した異物を外部に排出するするブレード掃除機構７と、ドクターブレードの刃先を研磨・再生し、刃先の研磨滓（かす）を外部に排出するするブレード研磨・再生機構６と、ブレードを保持するためのブレード保持機構４と、ブレードの刃先がロール８の表面に所定角度で対接する位置状態とこれの刃先がロール８から離脱する位置状態とに夫々位置決めするドクター着脱軸５と、から構成される。
【００２４】
以下に各構成要素について説明する。
前記ドクターブレード２は、図１．２に示すように、ロール８の表面に付着した異物を掻き取るもので、ブレード駆動機構３の駆動力によりその外周を回転移動搬送する移動式のエンドレスのブレードで、ブレードの幅方向の一端の周縁にロールの表面に付着した異物を掻き取る刃２ａを設ける。
【００２５】
前記ブレード掃除機構７は、ドクターブレード２の刃２ａに付着した異物を除去し、除去した異物を外部に排出する機能を有し、図１乃至図４に示すように、ドクターブレードの幅方向の端部の外周面に対接してドクターブレードの刃２ａに付着の異物を掻き取る円盤状又は円筒状の掃除用ブラシ７ａと、前記掃除用ブラシ７ａを回転させる掃除用モーター７ｂと、前記掻き取った異物外部に排出するための吸排気ダクト７ｃと、刃先の上部を吸引する空気の流速が大きくなる構造となるように掃除用ブラシ７ａを狭い間隔で覆うフード７ｄと、から構成され、ブレード２の下側ブレード２Ｂの刃２ａをロール８の表面８ａに摺接させて異物を掻き取り、刃２ａに付着した異物は矢印Ｆ方向に搬送され、ロール８から外れた位置にありこの回転する掃除用ブラシ７ａにより刃２ａから除去され、吸引排気ダクト７ｃを介して外部に排出される。
【００２６】
前記ブレード研磨・再生機構６は、ドクターブレード２の刃先を研磨・再生し、刃先の研磨滓（かす）を外部に排出する機能を有し、図１乃至図４に示すように、ドクターブレードの幅方向の端部の内周面に対接してドクターブレードの刃先を研磨・再生する円盤状又は円筒状の研磨体６ａと、前記研磨体６ａを回転させる研磨用モーター６ｂと、研磨滓を外部に排出する吸排気ダクト６ｃと、吸引する空気の流速が大きくなる構造となるように前記研磨体６ａを狭い間隔で覆うフード６ｄと、から構成され、ブレード２の上側ブレード２Ａの内側から回転する研磨体６ａを摺接させて磨耗したブレード２の刃２ａを再生し、この際の研磨滓は吸引排気ダクト６ｃを介して外部に排出される。ブレード２の刃先は再生され、基準限界値迄は連続使用可能となる。
【００２７】
なお、本発明のエンドレスドクターブレード装置１は、前記ブレード掃除機構７と前記ブレード研磨・再生機構６の両方を具備することにより、本発明の目的を達成するが、何れか一方のみの場合でもある程度の効果を奏する。
【００２８】
前記ブレード駆動機構３は、図１に示すように、駆動プーリー３ａ、駆動プーリー３ａを回転させる駆動モーター３ｂ及び従動プーリー３ｃからなり、図５のように、前記エンドレスドクターブレード２に凹凸駆動突起２Ｄを、駆動プーリー３ａ及び従動プーリー３ｃに凹凸駆動突起２ｂを夫々設けることにより、エンドレスのドクターブレード２の前記凹凸駆動突起２Ｄと凹凸駆動プーリー３Ａ及び凹凸従動プーリー３Ｄの凹凸駆動突起２ｂとが係合してエンドレスのドクターブレード２を確実に移動搬送することができる。
【００２９】
また、図６に示すように、前記エンドレスのドクターブレード２に駆動孔２ｃを、前記駆動プーリー３ａ及び従動プーリー３ｃに凹凸駆動突起２Ｇを夫々設けることにより、エンドレスのドクターブレード２の前記駆動孔２ｃと凹凸駆動プーリー３Ｅ及び凹凸従動プーリー３Ｈの凹凸駆動突起２Ｇとが係合してエンドレスのドクターブレード２を確実に移動搬送することができる。
【００３０】
また、前記ブレード駆動機構３の他の実施例としては、図７に示すように、ブレード駆動機構３は、駆動プーリー３ａと、駆動プーリー３ａを回転させる駆動モーター３ｂと、従動プーリー３ｃと、前記駆動プーリー３ａに案内搬送するか又は駆動プーリー３ａから案内搬送されるブレードを案内搬送する駆動プーリーガイドロール３ｅ及び駆動プーリーガイドロール３ｆと、従動プーリー３ｃに対接してブレードを案内搬送する従動プーリーガイドロール３ｇとからなる構成にすることにより、ロール８の表面近傍では上側ブレード２Ａと下側ブレード２Ｂの間隔が狭い構造にすることができる。
【００３１】
そして、前記図７に示したエンドレスドクターブレード装置１において、エンドレスのドクターブレード２に凹凸駆動突起２Ｄを、駆動プーリー３ａ、駆動プーリーガイドロール３ｅ及び駆動プーリーガイドロール３ｆ、従動プーリー３ｂ及び従動プーリーガイドロール３ｇに夫々凹凸駆動突起２ｂを設け、図５に示すようなエンドレスのドクターブレード２の前記凹凸駆動突起２Ｄと凹凸駆動プーリー３Ａ、駆動プーリーガイドロール３ｅ及び駆動プーリーガイドロール３ｆ、凹凸従動プーリー３Ｄ及び従動プーリーガイドロール３ｇの夫々の凹凸駆動突起２ｂとが係合する構成にすることにより、エンドレスのドクターブレード２を確実に移動搬送することができる。
【００３２】
そして、前記図７に示したエンドレスドクターブレード装置１において、前記エンドレスのドクターブレード２には駆動孔２ｃを、駆動プーリー３ａ、駆動プーリーガイドロール３ｅ、駆動プーリーガイドロール３ｆ、従動プーリー３ｂ及び従動プーリーガイドロール３ｇに凹凸駆動突起２Ｇを夫々設け、図６に示すようなエンドレスのドクターブレード２の前記駆動孔２ｃと前記凹凸駆動プーリー３Ｅ、駆動プーリーガイドロール３ｅ及び駆動プーリーガイドロール３ｆ、凹凸従動プーリー３Ｈ及び従動プーリーガイドロール３ｇの凹凸駆動突起２Ｇとが係合する構成にすることにより、エンドレスのドクターブレード２を確実に移動搬送することができる。
【００３３】
前記エンドレスのドクターブレード２は、図４に示すように、これを保持するためのブレード保持機構４を具備し、ブレード保持機構４は、サポートバック４ｂと、ドクターバック４ｃと、ドクターホルダー押さえ４ｅと、ドクターホルダー４ｄと、移動するドクターブレード２の摩擦を少なくするためのスライドローラー４ａとから構成される。
【００３４】
前記エンドレスのドクターブレード２は、図１に示すように、ドクターブレードの刃２ａがロール８の表面に所定角度で対接する位置状態とこの刃先がロール８から離脱する位置状態とに夫々位置決めするドクター着脱軸５を具備する。
【００３５】
【発明の効果】
本発明のエンドレスドクターブレード装置はブレード掃除機構を設けることにより、ドクターブレードに付着した異物を除去し、外部に排出することができる。
【００３６】
本発明のエンドレスドクターブレード装置は刃先研磨・再生機構を設けることにより、ドクターブレードの刃先を研磨・再生すると共に、研磨滓を外部に排出することができる。
【００３７】
本発明のエンドレスドクターブレード装置はブレード掃除機構及び刃先研磨・再生機構により、ドクターブレード上の異物の除去及びドクターブレードの刃先の研磨・再生が行われるので、ドクターブレードの寿命を長くさせる（耐久性を向上させる）と共に、ロール表面の損傷を抑制することができる。
【図面の簡単な説明】
【図１】本発明のエンドレスドクターブレード装置の概略構成斜視図である。
【図２】本発明のエンドレスドクターブレード装置のドクターブレードの刃先とロール表面付近の拡大斜視図である。
【図３】本発明のエンドレスドクターブレード装置のドクターブレード付近の拡大斜視図である。
【図４】本発明のエンドレスドクターブレード装置のブレード掃除機構、刃先研磨・再生機構及びブレード保持機構付近の拡大斜視図である。
【図５】本発明のエンドレスドクターブレード装置の他の実施例の駆動機構付近の概略拡大構成斜視図である。
【図６】本発明のエンドレスドクターブレード装置の他の実施例の駆動機構付近の概略拡大構成斜視図である。
【図７】本発明のエンドレスドクターブレード装置の駆動機構の他の実施例の概略構成正面斜視図である。
【図８】従来のドクターブレード装置のドクターブレード付近の拡大構成斜視図である。
【図９】従来のドクターブレード装置の概略構成正面斜視図である。
【符号の説明】
１　　　エンドレスドクターブレード装置
２　　　ドクターブレード
２Ａ　　上側ブレード
２Ｂ　　下側ブレード
２ａ　　刃
２ｂ　　凹凸駆動突起
２ｃ　　駆動孔
２Ｄ　　凹凸駆動突起
２Ｇ　　凹凸駆動突起
３　　　ブレード駆動機構
３ａ　　駆動プーリ
３Ａ　　凹凸駆動プーリー
３ｂ　　駆動モーター
３ｃ　　従動プーリー
３Ｄ　　凹凸従動プーリー
３Ｅ　　凹凸駆動プーリー
３ｅ　　駆動プーリーガイドロール
３ｆ　　駆動プーリーガイドロール
３ｇ　　従動プーリーガイドロール
３Ｈ　　従動プーリー
４　　　ブレード保持機構
４ａ　　スライドローラー
４ｂ　　サポートバック
４ｃ　　ドクターバック
４ｄ　　ドクターホルダー
４ｅ　　ドクターホルダー押さえ
５　　　ドクター着脱軸
６　　　ブレード研磨・再生機構
６ａ　　研磨体
６ｂ　　研磨用モーター
６ｃ　　吸排気ダクト
６ｄ　　フード
７　　　ブレード掃除機構
７ａ　　掃除用ブラシ
７ｂ　　掃除用モーター
７ｃ　　吸排気ダクト
７ｄ　　フード
８　　　ロール
８ａ　　ロール表面
８ｂ　　滓
１０　　サクションフード
１１　　内蔵マニホルド
１２　　ドクターブレード
１３　　ドクターバック
１４　　ドクターホルダー
１５　　サポートバック
１６　　ブレード巻だしロール
１７　　移動式ドクターブレード
１８　　ブレード巻き込みロール
Ａ　　　ロール
Ｂ　　　ロール表面
Ｄ　　　異物詰まり（かす）
【図１】
2004027441.tif 000003
【図２】
2004027441.tif 000004
【図３】
2004027441.tif 000005
【図４】
2004027441.tif 000006
【図５】
2004027441.tif 000007
【図６】
2004027441.tif 000008
【図７】
2004027441.tif 000009
【図８】
2004027441.tif 000010
【図９】
2004027441.tif 000011